(57)【要約】【課題】放送番組データのチャンネル数の増加要求にも容易に対応できるようにし、しかも各放送番組データの伝送帯域を常に確保し得るビデオサーバ装置を提供する。【解決手段】入力チャンネル及び出力チャンネルと優先度とを対応付けた優先度・帯域テーブル１３１を設けるようにしたので、優先度「高」のチャンネルについては最大負荷を想定して帯域を確保し、優先度「低」のチャンネルについては割り当てる帯域を少なく見積もるようにしている。【選択図】      図１
2007053428.tif 000002
【特許請求の範囲】
【請求項１】
複数の入力チャンネルの放送番組データを記録部にて記録媒体に記録し、この記録媒体に記録された複数の放送番組データを再生部にてそれぞれ対応する出力チャンネルへ再生出力するビデオサーバ装置において、
前記複数の入力チャンネルを示す情報及び複数の出力チャンネルを示す情報と、優先度情報とを対応付けて記憶する記憶手段と、
前記放送番組データの記録時に、前記記憶手段に記憶された優先度情報に基づいて、複数の入力チャンネルそれぞれからの放送番組データを前記記録媒体に記録するように前記記録部を制御し、前記放送番組データの再生時に、前記記憶手段に記憶された優先度情報に基づいて、前記記録媒体に記録された複数の放送番組データをそれぞれ対応する出力チャンネルへ再生出力するように前記再生部を制御する制御手段とを具備したことを特徴とするビデオサーバ装置。
【請求項２】
前記記憶手段は、複数の入力チャンネル及び出力チャンネルのうちリアルタイム性が要求される放送番組データを伝送する入力チャンネルを示す情報及び出力チャンネルを示す情報に対し、最高優先度を示す優先度情報に対応付けて記憶することを特徴とする請求項１記載のビデオサーバ装置。
【発明の詳細な説明】
【技術分野】
【０００１】
この発明は、放送局内で複数チャンネルの放送番組データの記録または再生を行なうビデオサーバ装置に関する。
【背景技術】
【０００２】
周知のように、放送局内にあっては、例えばテレビジョン放送やラジオ放送の番組、ＣＭ（コマーシャル）、文字やデータによる番組等の放送番組データを記憶し、任意のタイミングで放送番組データを再生するビデオサーバが使用されている。
【０００３】
このビデオサーバにおいては、通常、放送（ＯＡ（On Air））用チャンネルの他に、記録用入力チャンネル、素材確認用のプレビューチャンネル、別のＯＡチャンネルなどが必要となるため、多数の入出力端子が必要となり、さらに再生の遅延やコマ落ちなどがあってはならない。
【０００４】
このため、再生の遅延やコマ落ちなどを一切生じさせないように、常に最大負荷での稼動を想定して帯域を割り振らなければならない。この場合、ビデオサーバの入出力端子の数が限られてしまうことになる。また、上記ビデオサーバでは、割り当て可能な最大帯域が予め決められているため、入出力チャンネル数の増加要求に柔軟に対応することができない。
【０００５】
そこで、従来では、多チャンネル化を実現するために、放送番組データにそれぞれ優先順位を設定し、この優先順位に従って帯域を割り当てる手法が提案されている（例えば、特許文献１）。
【特許文献１】特開２００４−３５６８５５号公報。
【発明の開示】
【発明が解決しようとする課題】
【０００６】
しかし、上記手法では、優先順位の低い放送番組データの送出中に、優先順位の高い放送番組データの送出を開始する場合に、優先順位の低い放送番組データの送出を停止またはそのビットレートを落として優先順位の高い放送番組データの送出に必要な帯域を優先的に確保するものであり、使用帯域の大部分を優先順位の高い放送番組データが占有した場合に、優先順位の低い放送番組データの送出が完全に中止になる恐れがある。
【０００７】
そこで、この発明の目的は、放送番組データのチャンネル数の増加要求にも容易に対応できるようにし、しかも各放送番組データの伝送帯域を常に確保し得るビデオサーバ装置を提供することにある。
【課題を解決するための手段】
【０００８】
この発明は、上記目的を達成するために、以下のように構成される。  
複数の入力チャンネルの放送番組データを記録部にて記録媒体に記録し、この記録媒体に記録された複数の放送番組データを再生部にてそれぞれ対応する出力チャンネルへ再生出力するビデオサーバ装置において、複数の入力チャンネルを示す情報及び複数の出力チャンネルを示す情報と、優先度情報とを対応付けて記憶する記憶手段と、放送番組データの記録時に、記憶手段に記憶された優先度情報に基づいて、複数の入力チャンネルそれぞれからの放送番組データを記録媒体に記録するように記録部を制御し、放送番組データの再生時に、記憶手段に記憶された優先度情報に基づいて、記録媒体に記録された複数の放送番組データをそれぞれ対応する出力チャンネルへ再生出力するように再生部を制御する制御手段とを備えるようにしたものである。
【０００９】
この構成によれば、複数の入力チャンネルを示す情報及び出力チャンネルを示す情報と、優先度情報とを対応付けておくことで、最高優先度のチャンネルについては最大負荷を想定して帯域を確保し、優先度の低いチャンネルについては割り当てる帯域を少なく見積もるというように、チャンネルごとに最適な帯域確保を行なうことができる。また、取り扱う全てのチャンネルに対し常に最大負荷での稼動を想定して帯域を割り振っていた従来の方式に比べ、入出力チャンネル数を増やすことができる。
【発明の効果】
【００１０】
以上詳述したようにこの発明によれば、放送番組データのチャンネル数の増加要求にも容易に対応できるようにし、しかも各放送番組データの伝送帯域を常に確保し得るビデオサーバ装置を提供することができる。
【発明を実施するための最良の形態】
【００１１】
以下、この発明の実施形態について図面を参照して詳細に説明する。  
図１は、この発明の一実施形態に係わるデジタル放送のビデオサーバ装置のブロック構成図で、符号１１は複数チャンネルの放送番組データの書き込み及び読み出し可能なメモリである。なお、ここでは説明を簡単にするため、ビデオサーバ装置の入力チャンネルを４チャンネルとし、出力チャンネルを７チャンネルとする。また、入力チャンネルのうち、２チャンネルはＯＡ用に割り当て、残りの２チャンネルはネットワーク入出力用に割り当てるものとする。さらに、出力チャンネルのうち、２チャンネルはＯＡ用に割り当て、３チャンネルはプレビュー用に割り当て、残りの２チャンネルはネットワーク入出力用に割り当てるものとする。
【００１２】
メモリ１１には、入力部１２、制御部１３及び出力部１４が接続される。入力部１２は、４チャンネルの放送番組データを取り込み、制御部１３による制御の下、メモリ１１の然るべき領域に記録する。
【００１３】
制御部１３は、メモリ１１に記録される４チャンネルの放送番組データを管理し、再生指示入力に応じて、出力部１４に対してメモリ１１の再生開始アドレス、再生バイト数及び送出ビットレート（帯域）を指定する。
【００１４】
出力部１４は、制御部１４により指定されたアドレスから指定されたバイト数だけ、メモリ１１に記録された放送番組データを対応する出力チャンネルへ再生出力する。
【００１５】
ところで、この実施形態では、制御部１３に、優先度・帯域テーブル１３１が設けられている。優先度・帯域テーブル１３１には、図２に示すように、入力チャンネル及び出力チャンネルと、優先度情報及び割り当て帯域情報との対応関係を表すデータが記憶されている。
【００１６】
そして、制御部１３は、放送番組データの記録時に、優先度・帯域テーブル１３１に記憶された優先度情報及び割り当て帯域情報に基づいて、ＯＡ用の入力チャンネルの放送番組データに対しては２５Ｍｂｐｓでメモリ１１に記録し、ネットワーク用の入力チャンネルの放送番組データに対しては２５Ｍｂｐｓでメモリ１１に記録するように入力部１２を制御する。
【００１７】
また、制御部１３は、放送番組データの再生時に、優先度・帯域テーブル１３１に記憶された優先度情報及び割り当て帯域情報に基づいて、ＯＡ用の出力チャンネルの放送番組データに対しては５０Ｍｂｐｓでメモリ１１から読み出すように出力部１４を制御する。
【００１８】
次に、上記構成において、以下のその運用について説明する。  
ビデオサーバ装置では、必要帯域２５０Ｍｂｐｓで放送番組データの記録または再生を行なうために、例えばＯＡ用の２入力チャンネルにそれぞれ帯域５０Ｍｂｐｓを割り当て、ＯＡ用の２出力チャンネルにそれぞれ帯域５０Ｍｂｐｓを割り当て、ネットワーク用の入力チャンネルまたは出力チャンネルに帯域５０Ｍｂｐｓを割り当てていた。
【００１９】
この場合、メモリ１１に記録された放送番組データのプレビューを行う場合に、ＯＡ用の放送番組データの送出中には行うことができず、ＯＡ用の放送番組データの休止時に行なうしか方法がなかった。
【００２０】
そこで、この実施形態では、ＯＡ用の２入力チャンネルにそれぞれ優先度「中」を割り当て、ＯＡ用の２出力チャンネルにそれぞれ優先度「高」を割り当て、ネットワーク用の入出力チャンネルに優先度「中」を割り当て、プレビュー用の３出力チャンネルにそれぞれ優先度「低」を割り当てるようにしている。
【００２１】
優先度「高」は、遅延、コマ落ち等があってはならず、優先度「中」は、遅延はあってもよいが、コマ落ち、データ欠落は認められず、優先度「低」は、遅延はあってもよく、コマ落ちや最悪の場合処理中止も認められる旨を示している。
【００２２】
そして、優先度「高」のチャンネルについては最大負荷を想定して帯域を確保し、優先度「低」のチャンネルについては割り当てる帯域を少なく見積もるようにしている。なお、ＭＰＥＧデータのようにデータ量が一定でない場合に、従来の手法ではワーストケースの想定が必要であるが、本実施形態を適用すれば平均データ量に近い値で帯域を見積もることが可能となり効果的となる。また、従来の手法に比べ、本実施形態によれば２倍程度のチャンネル数を確保できる。
【００２３】
また、ＯＡ用の放送番組データの休止時に、メモリ１１に記録されている放送番組データのプレビューを行う場合、制御部１３は、プレビュー用の出力チャンネルに帯域５０Ｍｂｐｓを割り当てるように出力部１４を制御する。さらに、ＯＡ用の放送番組データの休止時に、ネットワーク用の入出力チャンネルを使用する場合に、制御部１３は、ネットワーク用の入出力チャンネルに帯域５０Ｍｂｐｓを割り当てるように入力部１２及び出力部１４を制御する。
【００２４】
以上のように上記実施形態では、入力チャンネル及び出力チャンネルと優先度とを対応付けた優先度・帯域テーブル１３１を設けるようにしたので、優先度「高」のチャンネルについては最大負荷を想定して帯域を確保し、優先度「低」のチャンネルについては割り当てる帯域を少なく見積もるというように、チャンネルごとに最適な帯域確保を行なうことができる。
【００２５】
また、取り扱う全てのチャンネルに対し常に最大負荷での稼動を想定して帯域を割り振っていた従来の方式に比べ、限られた帯域を有効に利用して、多数のチャンネルを収容することが可能となり、これにより入出力チャンネル数を増やすことができる。
【００２６】
なお、この発明は上記実施形態に限定されるものではなく、例えば優先度についても、「高」、「中」、「低」よりもさらに分けるようにしてもよい。このようにすれば、さらに入出力チャンネルを増やすことができる。
【００２７】
その他、ビデオサーバ装置の構成、優先度・帯域テーブルの記憶内容、取り扱う放送番組データ等についても、この発明の要旨を逸脱しない範囲で種々変形して実施できる。
【図面の簡単な説明】
【００２８】
【図１】この発明の一実施形態に係わるデジタル放送のビデオサーバ装置のブロック構成図。
【図２】図１に示した優先度・帯域テーブルの記憶内容の一例を示す図。
【符号の説明】
【００２９】
１１…メモリ、１２…入力部、１３…制御部、１４…出力部、１３１…優先度・帯域テーブル。
【図１】
2007053428.tif 000003
【図２】
2007053428.tif 000004